(57)【特許請求の範囲】
【請求項１】
絶縁体基材層を含む基体と、
前記絶縁体基材層に形成された巻線状導電パターンにより構成されたコイルと、
平面視で、前記絶縁体基材層の前記コイルの外側の位置において、少なくとも前記コイルの一部に沿って形成され、電気的に独立したダミーパターンと、
を備え、
前記基体は、複数の前記絶縁体基材層が積層された積層体を含み、
前記絶縁体基材層は熱可塑性樹脂からなり、
前記巻線状導電パターンは、平面視で複数の直線状部分を含んで巻線状に形成されており、
前記巻線状導電パターンの前記直線状部分及び前記直線状部分に沿って形成された前記ダミーパターンの少なくとも一方には、平面視で、折れ曲がり部、又は、前記直線状部分が延びる方向に直交する方向の幅が前記直線状部分の他の部分よりも広い拡幅部を有している、
電磁石。
【請求項２】
絶縁体基材層を含む基体と、
前記絶縁体基材層に形成された巻線状導電パターンにより構成されたコイルと、
平面視で、前記絶縁体基材層の前記コイルの外側の位置において、少なくとも前記コイルの一部に沿って形成され、電気的に独立したダミーパターンと、
を備え、
前記基体は、複数の前記絶縁体基材層が積層された積層体を含み、
前記積層体は積層方向の厚みが異なる段差部を有し、
前記ダミーパターンは、前記段差部を形成する前記積層体の厚みが大きい部分において前記段差部の近傍に形成されている、
電磁石。
【請求項３】
絶縁体基材層を含む基体と、
前記絶縁体基材層に形成された巻線状導電パターンにより構成されたコイルと、
平面視で、前記絶縁体基材層の前記コイルの外側の位置において、少なくとも前記コイルの一部に沿って形成され、電気的に独立したダミーパターンと、
を備え、
前記基体は、複数の前記絶縁体基材層が積層された積層体を含み、
前記絶縁体基材層は可撓性樹脂基材層であり、
前記積層体は積層方向に貫通する開口を有し、
前記コイルは前記開口の周囲に複数設けられ、
前記積層体は、前記コイルが設けられていない位置に、前記開口から外縁に延びた切欠きを有している、
電磁石。
【請求項４】
前記ダミーパターンは、前記巻線状導電パターンが形成された前記絶縁体基材層と同一層に形成されている、
請求項１から３のいずれかに記載の電磁石。
【請求項５】
前記ダミーパターンは、複数の前記絶縁体基材層に形成されている、
請求項１から４のいずれかに記載の電磁石。
【請求項６】
前記ダミーパターンは、前記巻線状導電パターンが形成された全ての前記絶縁体基材層に形成されている、
請求項５に記載の電磁石。
【請求項７】
前記積層体の積層方向において、前記ダミーパターンの上又は下に位置する絶縁体基材層には、前記ダミーパターンに接続され、前記積層方向に延びる導体が形成されている、
請求項１から６の何れかに記載の電磁石。
【請求項８】
前記ダミーパターンは、複数の前記絶縁体基材層に形成され、
前記積層方向に延びる導体は、異なる前記絶縁体基材層に形成された前記ダミーパターンを互いに接続している、
請求項７に記載の電磁石。
【請求項９】
前記ダミーパターンは、
平面視で、少なくとも前記コイルを挟み込むように設けられている、
請求項１から８の何れかに記載の電磁石。
【請求項１０】
前記ダミーパターンは、平面視で、前記コイルを内側に囲うように設けられている、
請求項９に記載の電磁石。
【請求項１１】
前記ダミーパターンは、平面視で、前記コイルを内側に囲うように環状に形成されている、
請求項１０に記載の電磁石。
【請求項１２】
請求項３に記載の電磁石と、
カメラレンズと、
前記カメラレンズを保持し、前記電磁石が有する前記開口に挿入されたレンズホルダと、
複数の前記コイルそれぞれと重なる位置に配置され、前記電磁石の電磁力により移動する複数の永久磁石と、
を備えた、カメラレンズ駆動装置。
【請求項１３】
熱可塑性樹脂からなる複数の絶縁体基材層が積層された積層体に、積層方向に貫通する開口が形成された電磁石の製造方法であって、
前記熱可塑性樹脂からなる複数の絶縁体基材層を積層する工程と、
前記複数の絶縁体基材層のうちの少なくとも１つに前記開口を囲むように複数の巻線状導体パターンを形成する工程と、
前記複数の絶縁体基材層のうちの少なくとも１つに、平面視で前記巻線状導体パターンの外側で少なくとも前記巻線状導体パターンの一部に沿うように電気的に独立したダミーパターンを形成する工程と、
前記複数の絶縁体基材層に、前記積層方向に貫通する前記開口、及び前記開口から外縁に延びる切欠きを形成する工程と、
積層した前記複数の絶縁体基材層を加熱及び加圧して一体化する工程と、
を備える電磁石の製造方法。
【請求項１４】
前記切欠きを形成する工程は、前記一体化する工程において前記複数の絶縁体基材層を一体化した後に、前記開口及び前記切欠きを形成する工程を含む、
請求項１３に記載の電磁石の製造方法。
【発明の詳細な説明】
【技術分野】
【０００１】
本発明は、絶縁体基材層を含む基体にコイルを形成してなる電磁石、カメラレンズ駆動装置及び電磁石の製造方法に関する。
【背景技術】
【０００２】
特許文献１には、コイルと永久磁石とで構成したボイスコイルモータが開示されている。特許文献１では、複数の基板それぞれに平面状の螺旋形コイルを形成し、それら基板を積層してコイルを形成している。
【先行技術文献】
【特許文献】
【０００３】
【特許文献１】特開昭６２−７７０４８号公報
【発明の概要】
【発明が解決しようとする課題】
【０００４】
ところで、ボイスコイルモータは、コイルに流れる電流の変化により生じる磁界の変化と、永久磁石によって作られた磁界とを利用したアクチュエータである。このボイスコイルモータは、例えばカメラの手振れ補正等に用いられる。そして、ボイスコイルモータの応答性が悪いと、これが用いられるデバイスの性能も悪くなる。そこで、応答性が良いアクチュエータが望まれるが、このためには、電磁石による電磁力を強めることが望まれる。【０００５】
本発明の目的は、コイルに流れる電流に起因する電磁力を強めることができる電磁石、カメラレンズ駆動装置及び電磁石の製造方法を提供することにある。
【課題を解決するための手段】
【０００６】
本発明に係る電磁石は、絶縁体基材層を含む基体と、前記絶縁体基材層に形成された巻線状導電パターンにより構成されたコイルと、平面視で、前記絶縁体基材層の前記コイルの外側の位置において、少なくとも前記コイルの一部に沿って形成され、電気的に独立したダミーパターンとを備えることを特徴とする。【０００７】
この構成では、コイルの外側に設けたダミーパターンは、コイルから生じる磁界が電流の変化時においてコイルの外側へ広がることを防止する磁界のシールドとして機能する。このため、電流の変化時において、ダミーパターンが設けられていないコイル軸方向における磁束密度が高くなり、磁界強度が強くなる。その結果、電磁力を強めることができる。【０００８】
前記基体は、複数の前記絶縁体基材層が積層された積層体を含むことが好ましい。【０００９】
この構成では、コイルの巻線数を増やすことができ、磁界の強度を強くできる。【００１０】
前記ダミーパターンは、前記巻線状導電パターンが形成された前記絶縁体基材層と同一層に形成されていることが好ましい。【００１１】
この構成では、ダミーパターンがコイル近傍に設けられるので、ダミーパターンにより磁界がコイルの外側へ広がることを効果的に防止できる。【００１２】
前記ダミーパターンは、複数の前記絶縁体基材層に形成されていることが好ましい。【００１３】
この構成では、ダミーパターンを複数層に設けることで、ダミーパターンにより磁界がコイルの外側へ広がることをより効果的に防止できる。【００１４】
前記ダミーパターンは、前記巻線状導電パターンが形成された全ての前記絶縁体基材層に形成されていることが好ましい。【００１５】
この構成では、ダミーパターンを全層に設けることで、ダミーパターンにより磁界がコイルの外側へ広がることをより効果的に防止できる。【００１６】
前記積層体の積層方向において、前記ダミーパターンの上又は下に位置する絶縁体基材層には、前記ダミーパターンに接続され、前記積層方向に延びる導体が形成されていることが好ましい。【００１７】
この構成では、ダミーパターンにより磁界がコイルの外側へ広がることをより効果的に防止できる。【００１８】
前記ダミーパターンは、複数の前記絶縁体基材層に形成され、前記積層方向に延びる導体は、異なる前記絶縁体基材層に形成された前記ダミーパターンを互いに接続していることが好ましい。【００１９】
この構成では、ダミーパターンにより磁界がコイルの外側へ広がることをより効果的に防止できる。【００２０】
前記絶縁体基材層は、熱可塑性樹脂からなり、前記巻線状導電パターンは、平面視で複数の直線状部分を含んで巻線状に形成されており、前記巻線状導電パターンの前記直線状部分及び前記直線状部分に沿って形成された前記ダミーパターンの少なくとも一方には、平面視で、折れ曲がり部、又は、前記直線状部分が延びる方向に直交する方向の幅が前記直線状部分の他の部分よりも広い拡幅部を有していることが好ましい。【００２１】
ここで、熱可塑性樹脂からなる絶縁体基材層を積層して加熱プレスすることにより一体形成する際には、樹脂の流動に伴い巻線状導電パターン又はダミーパターンがねじれる（積層方向において傾く）ことで、パターン同士が接触して短絡するおそれがある。そこで、この構成では、折れ曲がり部又は拡幅部により、巻線状導電パターンやダミーパターンがねじれることを抑制して短絡（接触）するおそれを低減できる。【００２２】
前記積層体は積層方向の厚みが異なる段差部を有し、前記ダミーパターンは、前記段差部を形成する前記積層体の厚みが大きい部分において前記段差部の近傍に形成されていることが好ましい。【００２３】
この構成では、ダミーパターンにより、段差部の近傍部分の強度を強くすることができるので、積層体の形状が崩れるのを防止できる。【００２４】
前記ダミーパターンは、平面視で、少なくとも前記コイルを挟み込むように設けられていることが好ましい。【００２５】
この構成では、ダミーパターンを設けた方向に対する磁界の広がりを防止できる。【００２６】
前記ダミーパターンは、平面視で、前記コイルを内側に囲うように設けられていることが好ましい。【００２７】
この構成では、コイルの外側への磁界の広がりを防止できる。【００２８】
前記ダミーパターンは、平面視で、前記コイルを内側に囲うように環状に形成されていることが好ましい。【００２９】
この構成では、コイルの外側への磁界の広がりを防止できる。【００３０】
前記絶縁体基材層は可撓性樹脂基材層であることが好ましい。【００３１】
この構成では、積層体を割れ難くすることができる。【００３２】
前記積層体は積層方向に貫通する開口を有し、前記コイルは前記開口の周囲に複数設けられ、前記積層体は、前記コイルが設けられていない位置に、前記開口から外縁に延びた切欠きを有していることが好ましい。【００３３】
この構成では、熱可塑性基材層を加熱プレスで成型した場合に熱膨張係数差に起因して発生する応力を、切欠きによって解放できる。これにより、電磁石の反りを抑制でき、電磁力の発生方向にズレが生じないようにできる。【００３４】
本発明に係るカメラレンズ駆動装置は、本発明に係る電磁石と、カメラレンズと、前記カメラレンズを保持し、前記電磁石が有する前記開口に挿入されたレンズホルダと、複数の前記コイルそれぞれと重なる位置に配置され、前記電磁石の電磁力により移動する複数の永久磁石と、を備えたことを特徴とする。【００３５】
この構成では、電磁石の電磁力の発生方向にズレが生じないため、永久磁石によってカメラレンズを精度よく変位させることができる。【００３６】
本発明は、熱可塑性樹脂からなる複数の絶縁体基材層が積層された積層体に、積層方向に貫通する開口が形成された電磁石の製造方法であって、前記熱可塑性樹脂からなる複数の絶縁体基材層を積層する工程と、前記複数の絶縁体基材層のうちの少なくとも１つに前記開口を囲むように複数の前記巻線状導体パターンを形成する工程と、前記複数の絶縁体基材層のうちの少なくとも１つに、平面視で前記巻線状導体パターンの外側で少なくとも前記巻線状導体パターンの一部に沿うように電気的に独立したダミーパターンを形成する工程と、前記複数の絶縁体基材層に、前記積層方向に貫通する前記開口、及び前記開口から外縁に延びる切欠きを形成する工程と、積層した前記複数の絶縁体基材層を加熱及び加圧して一体化する工程とを備えることを特徴とする。【００３７】
この構成では、熱可塑性基材層を加熱プレスで成型した場合に熱膨張係数差に起因して発生する応力を、切欠きによって解放できる。これにより、反りを抑制でき、電磁力の発生方向にズレを生じない電磁石を製造できる。【００３８】
前記切欠きを形成する工程は、前記一体化する工程において前記複数の絶縁体基材層を一体化した後に、前記開口及び前記切欠きを形成する工程を含むことが好ましい。【００３９】
この構成では、複数の絶縁体基材層に形成される開口及び切欠きの位置ずれを防止できる。
【発明の効果】
【００４０】
本発明によれば、コイルの外側に設けたダミーパターンは、コイルから生じる磁界が電流の変化時においてコイルの外側へ広がることを防止する磁界のシールドとして機能する。このため、電流の変化時において、ダミーパターンが設けられていないコイル軸方向における磁束密度が高くなり、磁界強度が強くなる。その結果、電磁力を強めることができる。
【図面の簡単な説明】
【００４１】
【図１】実施形態１に係る電磁石の分解斜視図
【図２】図１のＩＩ−ＩＩ線における電磁石の断面図
【図３】電磁石から発生する磁界を示す図
【図４】ダミーパターンを備えない電磁石から発生する磁界を示す図
【図５】時間に対する電流と電磁力との関係を示すグラフ
【図６】コイル導体とダミーパターンとの位置関係を説明するための図
【図７】実施形態に係る電磁石を備えたカメラモジュールの平面視、及びVII−VII線の断面図
【図８】フレームがＸ方向に変位する例を示す図
【図９】実施形態１に係る電磁石とは別の例の電磁石の斜視図
【図１０】実施形態２に係る電磁石の分解斜視図
【図１１】応力分散部を形成した面内コイル導体、及びダミーパターンの一例を示す図
【図１２】実施形態３に係る電磁石の正面断面図
【図１３】実施形態４に係る電磁石の斜視図
【図１４】実施形態４に係る電磁石の分解図
【図１５】実施形態４に係る電磁石を備えたカメラモジュールの平面視、及びＢ−Ｂ線の断面図
【発明を実施するための形態】
【００４２】
（実施形態１）
図１は、実施形態１に係る電磁石１の分解斜視図である。図２は、図１のＩＩ−ＩＩ線における電磁石１の断面図である。
【００４３】
電磁石１は、絶縁性の基材層１１，１２，１３，１４が積層一体化された積層体１０を備えている。基材層１１〜１４は、ＬＣＰ樹脂（液晶ポリマ樹脂）等の可撓性を有する熱可塑性樹脂からなる。積層体１０は、これら基材層１１〜１４が加熱プレスされることで互いに熱溶着され形成されている。
【００４４】
積層体１０にはコイル２０が形成されている。ＬＣＰ樹脂はエポキシ樹脂又はセラミック等よりも低誘電率であるため、基材層１１〜１４にＬＣＰ樹脂を用いることで、コイル２０の線間容量を小さくすることができる。また、比較的低温で成形が可能となる。さらに、ＬＣＰ樹脂は低透磁率であるため、コイル２０の巻線間に生じる斥力が小さく、ＬＣＰ樹脂は可撓性を有するため、積層体１０は割れ難い。
【００４５】
なお、熱可塑性樹脂としては、例えばＰＥＥＫ（ポリエーテルエーテルケトン）、ＰＥＩ（ポリエーテルイミド）、ＰＰＳ（ポニフェニレンスルファイド）、ＰＩ（ポリイミド）等があり、液晶ポリマ樹脂に代えてこれらを用いてもよい。また、積層体１０は、低融点の熱硬化性樹脂からなる基材層を含む構成であってもよいし、熱可塑性樹脂からなる基材層を含まない構成であってもよい。
【００４６】
また、積層体１０は、複数の基材層１１〜１４からなるが、一の基材層であってもよい。この積層体１０は、本発明に係る「基体」の一例である。
【００４７】
以下、基材層１１〜１４の平面方向を、Ｘ−Ｙ方向とし、基材層１１〜１４の積層方向をＺ方向とする。コイル２０は、Ｚ方向をコイル巻回軸として積層体１０に形成されている。
【００４８】
基材層１１の一方主面（表面又は裏面の一方）には、端子電極１１Ａ，１１Ｂが形成されている。この端子電極１１Ａ，１１Ｂは、コイル２０の入出力端子である。
【００４９】
基材層１２〜１４の一方主面（表面又は裏面の一方）には、面内コイル導体１２Ａ，１３Ａ，１４Ａがそれぞれ形成されている。面内コイル導体１２Ａ，１３Ａ，１４Ａは、本発明に係る「巻線状導電パターン」の一例である。基材層１２〜１４には、図中の破線で示す層間接続導体がそれぞれ形成されている。層間接続導体により、面内コイル導体１２Ａ，１３Ａ，１４Ａが接続され、複数層にわたるコイル２０が構成されている。詳しくは、面内コイル導体１２Ａ，１３Ａの一端同士が接続している。また、面内コイル導体１３Ａ，１４Ａの一端同士が接続している。
【００５０】
このように、コイル２０は、面内コイル導体１２Ａ，１３Ａ，１４Ａ、及び層間コイル導体により構成されている。このコイル２０の第１端である面内コイル導体１２Ａの一端は、基材層１１に形成された層間接続導体により、端子電極１１Ａに接続している。また、コイル２０の第２端である面内コイル導体１４Ａの一端は、基材層１１〜１３に形成された層間接続導体により、端子電極１１Ｂに接続している。これにより、コイル２０は、Ｚ方向をコイル巻回軸として、端子電極１１Ａ，１１Ｂが形成された基材層１１から離れる方向に向かって周回しながら延伸するように、複数の基材層１１〜１４に亘って形成されている。
【００５１】
基材層１２〜１４には、ダミーパターン２１，２２，２３が形成されている。ダミーパターン２１〜２３は、基材層１２〜１４それぞれにおいて、面内コイル導体１２Ａ，１３Ａ，１４Ａが形成された主面と同じ主面に形成されている。
【００５２】
ダミーパターン２１は、面内コイル導体１２Ａがループ内側に位置するよう、基材層１２の端部に沿ってループ状に形成されている。ダミーパターン２２は、面内コイル導体１３Ａがループ内側に位置するよう、基材層１３の端部に沿ってループ状に形成されている。ダミーパターン２３は、面内コイル導体１４Ａがループ内側に位置するよう、基材層１４の端部に沿ってループ状に形成されている。
【００５３】
ダミーパターン２１〜２３は、Ｚ方向に重なる位置に形成されている。基材層１２，１３には、層間接続導体３１，３２，３３，３４が形成されている。ダミーパターン２１，２２は、層間接続導体３１，３２により接続されている。ダミーパターン２２，２３は、層間接続導体３３，３４により接続されている。これらダミーパターン２１〜２３、及び層間接続導体３１〜３４は、コイル２０を含む、他の素子とは電気的に独立している。そして、後に詳述するが、これらダミーパターン２１〜２３及び層間接続導体３１〜３４は、コイル２０に流れる電流の変化時において、コイル２０から生じる磁界の磁界シールドとして機能することにより、該磁界のＺ方向における強度を強めることができる。
【００５４】
なお、ダミーパターン２１〜２３は、面内コイル導体１２Ａ，１３Ａ，１４Ａが形成された一方主面と対向する他方主面に形成されていてもよい。また、ダミーパターン２１〜２３は、基材層１２〜１４それぞれに形成しなくてもよい。例えば、面内コイル導体１２Ａにのみダミーパターンを形成してもよい。さらに、ダミーパターン２１〜２３は、平面視で、コイル２０の外側に形成されていればよく、面内コイル導体１２Ａ，１３Ａ，１４Ａが形成された基材層１２〜１４とは異なる基材層に形成されていてもよい。例えば、基材層１１，１２の間に別の基材層を積層し、その基材層にダミーパターンを形成してもよい。
【００５５】
さらに、ダミーパターン２１〜２３を接続する層間接続導体の数及び位置は、特に限定されない。例えば、基材層１２の一か所にのみ層間接続導体を設け、ダミーパターン２１，２２を接続してもよいし、基材層１２の３か所以上に層間接続導体を設け、ダミーパターン２１，２２を接続してもよい。さらに、ダミーパターン２１〜２３は、層間接続導体により接続されていなくてもよく、それぞれが独立していてもよい。また、層間接続導体３１〜３４は、ダミーパターン２１〜２３の一方にのみ接続していてもよい。例えば、層間接続導体３１は、ダミーパターン２１にのみ接続し、ダミーパターン２２には接続していなくてもよい。
【００５６】
この電磁石１の製造方法は、以下のとおりである。
【００５７】
まず、樹脂シートの一方の面に銅箔を貼り付ける、または片面銅貼シートを用意する。形成する端子電極１１Ａ，１１Ｂ、面内コイル導体１２Ａ〜１４Ａ、及びダミーパターン２１〜２３のパターンに応じて、銅箔上にレジスト膜のパターニングを行う。そして、エッチングを行って各パターンを形成し、レジスト膜を除去する。そして、基材層１１〜１３の他方の面（銅箔を貼り付けていない面）から、層間接続導体を形成する各箇所にレーザ光を照射して孔を形成し、その孔にＳｕ,Ｃｕ,Ｎｉ,Ａｇ等を含む導電性ペーストを充填する。これにより、基材層１１〜１４ができる。
【００５８】
形成した基材層１１〜１４を重ねる。このとき、各基材層１１〜１４は、各パターンを形成した主面に重ねる。例えば、基材層１３は、基材層１４との当接面を、面内コイル導体１３Ａを形成していない主面にして重ねる。基材層１２は、基材層１３との当接面を、面内コイル導体１２Ａを形成していない主面にして重ねる。
【００５９】
積み重ねた基材層１１〜１４に対して、加熱及び加圧処理（加熱プレス）を行い、これらを接着する。基材層１１〜１４は、上述したように熱可塑性であるので、接着剤を使用しなくてもよく、また、絶縁体基材層を可撓性樹脂基材層にすることによって硬化時における破損（割れ）を抑制できる。これにより、電磁石１が形成される。
【００６０】
このように構成された電磁石１は、コイル２０の直上に永久磁石１００が設けられ、所謂ボイスコイルモータとして用いられる。コイル２０の直上とは、Ｚ方向における基材層１１側の積層体１０の端部と対向する位置であり、平面視でコイル２０のコイル開口と重なる位置である。永久磁石１００は、Ｘ方向に沿ってＮ極とＳ極とが並び、かつ、Ｘ方向に沿って往復動可能に配置される。
【００６１】
電磁石１のコイル２０に電流が流れると磁界が発生する。電磁石１の直上に配置された永久磁石１００は、この磁界に起因する電磁力（磁気吸引力及び磁気斥力）により、図中矢印に示すように、Ｘ方向に沿って往復動する。すなわち、永久磁石１００の往復動は、電磁力の向き及び大きさに応じて変化する。
【００６２】
例えば、端子電極１１Ａから端子電極１１Ｂへの方向でコイル２０に電流を流した場合、コイル２０の基材層１１側がＮ極となり、基材層１４側がＳ極となる。このとき、磁気吸引力により、永久磁石１００は、Ｓ極側端部がコイル２０の直上に向かって、Ｘ軸方向に沿って変位する。この場合に、コイル２０に流す電流値を変化させて磁界強度を上げる（又は下げる）と、磁気吸引力も大きく（又は小さく）なり、永久磁石１００の変位速度は速く（又は遅く）なる。
【００６３】
コイル２０に流す電流の方向を反転させた場合、コイル２０の極性が反転し、永久磁石１００の変位方向も反転する。詳しくは、端子電極１１Ｂから端子電極１１Ａへの方向でコイル２０に電流を流すことで、コイル２０の基材層１１側がＳ極となり、基材層１４側がＮ極となる。このとき、磁気吸引力により、永久磁石１００は、Ｎ極側端部がコイル２０の直上に向かって、Ｘ軸方向に沿って変位する。
【００６４】
このように、コイル２０に流す電流の大きさ及び向きを変えたときに、永久磁石１００のＸ方向における変位速度及び変位方向が変わる。したがって、電流変化時における永久磁石１００の変位速度及び変位方向の応答をよくすることで、応答性の高いボイスコイルモータを実現できる。このためには、電流変化時における電磁力を大きくすることで、永久磁石１００の応答をよくすることができる。
【００６５】
本実施形態では、電磁石１はダミーパターン２１〜２３を備えている。ダミーパターン２１〜２３はコイル２０の外側に設けられているため、電流の変化時において、ダミーパターン２１〜２３により、コイル２０から発生する磁界のＸ方向における広がりが抑えられる。このため、ダミーパターン２１〜２３が設けられていないＺ方向におけるコイル２０の直上の磁界を強めることができる。電流の変化時において、コイル２０の直上の磁界が強まることで、前記したように電磁力も強まり、永久磁石１００の応答をよくすることができる。なお、電流の大きさが一定になると、コイル２０から発生する磁束はダミーパターン２１〜２３を通過するようになる。すなわち、電流の大きさが一定になると、ダミーパターン２１〜２３の有無による磁界の強度の差がほとんどなくなる。
【００６６】
以下に、電磁石１から生じる磁界について説明する。
【００６７】
図３は、電磁石１から発生する磁界を示す図である。図４は、ダミーパターンを備えない電磁石１Ａから発生する磁界を示す図である。図４は、図３との対比のために示す図であり、図４に示す電磁石１Ａは、電磁石１と同様に積層体１０にコイル２０が形成されているが、ダミーパターンを備えていない。図３及び図４に示すループ状の矢印は、電流が流れたコイル２０に発生する磁界を示す。
【００６８】
電磁石１，１Ａのコイル２０の一方向に電流を流すと、コイル内側から外側に向かうループ状の磁界が発生する。コイル２０の外側にはダミーパターン２１〜２３が設けられている電磁石１の場合、発生した磁界はコイル２０とダミーパターン２１〜２３との間を通る。すなわち、ダミーパターン２１〜２３は、発生した磁界の広がりを防ぐ磁界シールドとして機能する。これに対し、ダミーパターン２１〜２３が設けられていない電磁石１Ａでは、発生した磁界は電磁石１と比べてＸ方向に広がる。
【００６９】
したがって、ダミーパターン２１〜２３を設けた電磁石１は、ダミーパターンを設けない電磁石１Ａよりも、電流の変化時においてＺ方向におけるコイル２０の直上の磁束密度が高くなり、磁界が強くなる。この結果、コイル２０の直上の電磁力が強くなる。
【００７０】
図５は、時間に対する電流と電磁力との関係を示すグラフである。
【００７１】
図５の上図は、縦軸が電流、横軸が時間であり、時間の経過に伴い、コイル２０へ流す電流値及び方向を変化させていることを示している。この図において、電流がプラスとマイナスとでは、それぞれ電流の流れる方向が反対である。例えば、時間ｔ０〜ｔ３の間にコイル２０へ流す電流と、時間ｔ４〜ｔ７の間にコイル２０へ流す電流とは、それぞれ反対方向である。また、時間ｔ０〜ｔ１、時間ｔ６〜ｔ７の間でコイル２０に流れる電流は増加し、時間ｔ１〜ｔ２、時間ｔ３〜ｔ４、時間ｔ５〜ｔ６の間で電流は一定となり、時間ｔ２〜ｔ３、時間ｔ４〜ｔ５の間で電流は減少している。
【００７２】
図５の下図は、縦軸が電磁力、横軸が時間であり、コイル２０へ流す電流値及び方向に伴い電磁力が変化していることを示している。電流がプラスとマイナスとでは、それぞれＸ方向における電磁力の作用する向きが反対である。例えば、時間ｔ０〜ｔ３の間と、時間ｔ４〜ｔ７の間との電磁力は、Ｘ方向において反対方向に作用していることを示している。
【００７３】
また、図５の下図は、対比のために、ダミーパターンがない場合の電磁力の変化を破線で示し、ダミーパターン２１〜２３を設けた場合の電磁力の変化を実線で示している。この２つを対比すると、時間ｔ０〜ｔ１、時間ｔ２〜ｔ３、時間ｔ４〜ｔ５、時間ｔ６〜ｔ７において、ダミーパターン２１〜２３を設けた場合の電磁力は、ダミーパターンがない場合の電磁力よりも急峻に大きくなっている。また、電流の変化点である時間ｔ１、ｔ３、ｔ５、ｔ７において、ダミーパターン２１〜２３を設けた場合の電磁力は、ダミーパターンがない場合の電磁力よりも大きい。
【００７４】
すなわち、ダミーパターン２１〜２３を設けた場合、ダミーパターン２１〜２３を設けない場合よりも、電流の変化時に永久磁石１００に作用する電磁力は大きいため、永久磁石１００の応答性を高めることができる。
【００７５】
例えば、時間ｔ０〜ｔ３の間では、ダミーパターン２１〜２３を設けた場合、ダミーパターンがない場合よりも電磁力が急峻に高くなるため、永久磁石１００をより速く変位させることができる。また、時間ｔ３では、ダミーパターンがない場合の電磁力はゼロであるが、ダミーパターン２１〜２３を設けた場合の電磁力は、時間ｔ０〜ｔ３の間に生じる電磁力とは反対方向に作用している。このため、時間ｔ３において、ダミーパターン２１〜２３を設けた場合、Ｘ方向に変位している永久磁石１００に対し、変位方向と反対方向へ電磁力がかかるため、永久磁石１００の変位を瞬時的に停止させることができる。
【００７６】
以上のように、ダミーパターン２１〜２３が設けられた電磁石１は、電流変化時における電磁力を大きくできるため、電流変化時における永久磁石１００の応答性を高めることができる。その結果、応答性の良いボイスコイルモータを実現できる。
【００７７】
以下に、電磁石１の電磁力を高めるのに好ましい、コイル２０とダミーパターン２１〜２３との位置関係について説明する。
【００７８】
図６は、コイル２０とダミーパターン２１〜２３との位置関係を説明するための図である。ここで、コイル２０の内径をＸ１、コイル２０とダミーパターン２１〜２３との間の距離をＸ２、ダミーパターン２１〜２３のパターン幅をＸ３で表す。
【００７９】
コイル２０とダミーパターン２１〜２３の距離Ｘ２はより小さい方が好ましく、Ｘ２≦Ｘ１以下であることが好ましい。また、幅Ｘ３は、内径Ｘ１の１／２（コイル開口の中心から内縁までの距離）以上であることが好ましい。
【００８０】
本実施形態に係る電磁石１を備えたボイスコイルモータは、例えばカメラの手振れ補正用のボイスコイルモータとして用いられる。以下に、その手振れ補正用のボイスコイルモータを備えたカメラモジュールについて説明する。
【００８１】
図７は、本実施形態に係る電磁石１を備えたカメラモジュール２００の平面視、及びVII−VII線の断面図である。
【００８２】
カメラモジュール２００は、フレキ基板１０１と、フレーム２０１とを備えている。フレーム２０１は、平板部分の中心にレンズホルダ２０２が設けられ、そのレンズホルダ２０２はカメラレンズ２０３を保持している。また、フレーム２０１の平板部分には、レンズホルダ２０２を四方から囲むように、永久磁石１００Ａ，１００Ｂ，１００Ｃ，１００Ｄが設けられている。
【００８３】
永久磁石１００Ａ，１００Ｂは、Ｘ方向に沿って設けられ、間にレンズホルダ２０２を挟んでいる。そして、永久磁石１００Ａ，１００Ｂは、Ｘ方向に沿ってＮ極、Ｓ極が並んでいる。永久磁石１００Ｃ，１００Ｄは、Ｙ方向に沿って設けられ、間にレンズホルダ２０２を挟んでいる。そして、永久磁石１００Ｃ，１００Ｄは、Ｙ方向に沿ってＮ極、Ｓ極が並んでいる。
【００８４】
なお、フレーム２０１は、永久磁石１００Ａ〜１００Ｄ及びレンズホルダ２０２等を覆っているが、図７では、フレーム２０１で覆われている永久磁石１００Ａ〜１００Ｄ等を視認可能にした透視図としてある。
【００８５】
フレキ基板１０１は、フレーム２０１との間に隙間（例えば、５００μｍ以下）を設けて、フレーム２０１の下方に設けられている。フレーム２０１は、Ｘ−Ｙ平面において変位可能となっていて、フレキ基板１０１とフレーム２０１とは、ワイヤ２０５で連結されていて、ワイヤ２０５は、Ｘ−Ｙ平面において変位するフレーム２０１のストッパーとして機能している。
【００８６】
フレキ基板１０１は、可撓性熱可塑性樹脂の基材層が積層されて形成されている。このフレキ基板１０１には、Ｚ方向において永久磁石１００Ａ〜１００Ｄと一致する領域Ａに、本実施形態に係る電磁石１の構成が形成されている。永久磁石１００Ａ，１００Ｂの下方に形成された電磁石１のコイル導体に電流を流すことで、フレーム２０１は、Ｘ方向に変位する。永久磁石１００Ｃ，１００Ｄの下方に形成された電磁石１のコイル導体に電流を流すことで、フレーム２０１は、Ｙ方向に変位する。
【００８７】
図８は、フレーム２０１がＸ方向に変位する例を示す図である。例えば、図８（Ａ）に示す状態で、永久磁石１００Ａ，１００Ｂの下方にある電磁石のコイル導体に電流を流すと、フレーム２０１、及びそれに設けられたレンズホルダ２０２、カメラレンズ２０３は、Ｘ方向に変位する（図８（Ｂ））。また、図示しないが、永久磁石１００Ｃ，１００Ｄの下方にある電磁石のコイル導体に電流を流すと、フレーム２０１、及びそれに設けられたレンズホルダ２０２、カメラレンズ２０３は、Ｙ方向に変位する。これにより、カメラレンズ２０３をＸ−Ｙ方向に変位させることができ、所謂手振れ補正が可能となる。
【００８８】
以上、実施形態１に係る電磁石１について説明したが、基材層の積層数は適宜変更可能である。以下、実施形態１に係る電磁石１の変形例について説明する。
【００８９】
図９は、実施形態１に係る電磁石１とは別の例の電磁石の斜視図である。
【００９０】
この例では、電磁石１Ａは、基材層１１〜１６が積層されて形成されている。基材層１１〜１４の一方主面には、端子電極１１Ａ，１１Ｂ、面内コイル導体１２Ａ，１３Ａ，１４Ａ、及びダミーパターン２１〜２３が形成されている。基材層１４には、さらに基材層１５，１６が積層されている。これら基材層１５，１６には、何れの主面にも面内コイル導体が形成されていない。
【００９１】
すなわち、この例では、面内コイル導体１２Ａ，１３Ａ，１４Ａにより形成されるコイル導体は、基材層１１〜１６において基材層１１側に偏って形成されている。これにより、コイル導体を、永久磁石１００に近づけることができ、永久磁石１００に対する電磁力の影響を強めることができる。このため、永久磁石１００のＸ方向における変位の応答性を高めることができる。
【００９２】
（実施形態２）
以下に、実施形態２に係る電磁石について説明する。この例では、電磁石の直上に配置された永久磁石の変位方向に対してのみ、ダミーパターンを設ける点で、実施形態１と相違する。
【００９３】
図１０は、実施形態２に係る電磁石の分解斜視図である。
【００９４】
電磁石２は、実施形態１と同様に、絶縁性の基材層４１，４２，４３，４４が積層一体化された積層体４０を備えている。基材層４１〜４４は、本発明に係る絶縁体基板の一例である。基材層４１〜４４は、ＬＣＰ樹脂等の可撓性を有する熱可塑性樹脂からなる。積層体４０は、これら基材層４１〜４４が加熱プレスされることで互いに熱溶着され形成されている。
【００９５】
基材層４１の一方主面（表面又は裏面の一方）には、端子電極４１Ａ，４１Ｂが形成されている。
【００９６】
基材層４２〜４４の一方主面（表面又は裏面の一方）には、面内コイル導体４２Ａ，４３Ａ，４４Ａがそれぞれ形成されている。基材層４２〜４４には、図中の破線で示す層間接続導体がそれぞれ形成されている。層間接続導体により、面内コイル導体４２Ａ，４３Ａ，４４Ａが接続され、複数層にわたるコイル４５が構成されている。詳しくは、面内コイル導体１２Ａ，１３Ａの一端同士が接続している。また、面内コイル導体１３Ａ，１４Ａの一端同士が接続している。
【００９７】
このように、コイル４５は、面内コイル導体４２Ａ〜４４Ａ、及び層間コイル導体により構成されている。このコイル４５の第１端である面内コイル導体４２Ａの一端は、基材層４１に形成された層間接続導体により、端子電極４１Ａに接続している。また、コイル４５の第２端である面内コイル導体４４Ａの一端は、基材層４１〜４３に形成された層間接続導体により、端子電極４１Ｂに接続している。
【００９８】
基材層４２〜４４には、ダミーパターン５１Ａ，５１Ｂ，５２Ａ，５２Ｂ，５３Ａ，５３Ｂが形成されている。これらダミーパターン５１Ａ〜５３Ｂは、基材層４２〜４４それぞれにおいて、面内コイル導体４２Ａ，４３Ａ，４４Ａが形成された主面と同じ主面に形成されている。
【００９９】
ダミーパターン５１Ａ，５１Ｂは、面内コイル導体４２Ａを間に挟むよう、Ｘ方向における基材層４２の端部に沿って形成されている。ダミーパターン５２Ａ，５２Ｂは、面内コイル導体４３Ａを間に挟むよう、Ｘ方向における基材層４３の端部に沿って形成されている。ダミーパターン５３Ａ，５３Ｂは、面内コイル導体４４Ａを間に挟むよう、Ｘ方向における基材層４４の端部に沿って形成されている。ダミーパターン５１Ａ〜５３Ｂは、コイル４５を含む、他の素子とは電気的に独立している。
【０１００】
このように構成された電磁石２の直上には、Ｘ方向に変位可能な永久磁石１００が設けられている。この永久磁石１００は、電磁石２からの磁界（電磁力）により、Ｘ方向に変位する。そして、ダミーパターン５１Ａ〜５３Ｂは、実施形態１と同様、コイル４５に流れる電流の変化時において、コイル４５から生じる磁界の磁界シールドとして機能することにより、該磁界のＺ方向における強度を強めるための磁界シールドとして機能する。
【０１０１】
この例では、ダミーパターン５１Ａ〜５３Ｂは、Ｘ方向に沿って設けられており、永久磁石１００が変位しないＹ方向には設けられていない。このため、実施形態１に比べ、形成するダミーパターンを少なくできる。この結果、ダミーパターンの形成スペースを削除でき、基材層４１〜４４のサイズをより小さくできる。
【０１０２】
なお、ダミーパターン５１Ａ〜５３Ａ、及びダミーパターン５１Ｂ〜５３Ｂは、それぞれＺ方向に重なる位置に形成し、実施形態１と同様に、ダミーパターン５１Ａ〜５３Ａを基材層４２，４３に形成した層間接続導体により接続し、ダミーパターン５１Ｂ〜５３Ｂを基材層４２，４３に形成した層間接続導体により接続してもよい。
【０１０３】
また、面内コイル導体４２Ａ，４３Ａ，４４Ａ、ダミーパターン５１Ａ〜５３Ａ、及びダミーパターン５１Ｂ〜５３Ｂは、基材層４１〜４４の応力分散のために、応力分散部が形成されていてもよい。図１１は、応力分散部を形成した面内コイル導体、及びダミーパターンの一例を示す図である。図１１では、図１０の基材層４２を例に説明する。
【０１０４】
例えば、面内コイル導体４２Ａ及びダミーパターン５１Ｂは、複数の直線状部分を含んで巻線状に形成されているが、その直線状部分に、屈曲させた折れ曲がり部４２Ｂ，５１Ｃを形成してもよい。面内コイル導体４２Ａの折れ曲がり部４２Ｂは、隣接して配置されたダミーパターン５１Ｂから離れる方向に突出するように折れ曲がっている。ダミーパターン５１Ｂの折れ曲がり部５１Ｃは、隣接して配置された面内コイル導体４２Ａから離れる方向に突出するように折れ曲がっている。なお、折れ曲がり部４２Ｂおよび５１Ｃを、それぞれ、ダミーパターン５１Ｂに近づく方向および面内コイル導体４２Ａに近づく方向に突出するように折れ曲がっていてもよい。また、面内コイル導体４２Ａ及びダミーパターン５１Ｂは、直線状部分が延びる方向に直交する方向の幅が、他の部分よりも広い拡幅部４２Ｃ，５１Ｄを有するようにしてもよい。これら応力分散部は、面内コイル導体及びダミーパターンの複数個所に形成してもよいし、一か所にのみ形成してもよい。
【０１０５】
応力分散部を設けることにより、基材層４１〜４４を積み重ね、加熱及び加圧処理を行う際に樹脂の流動に伴う応力を分散できる。このため、製造工程時に、面内コイル導体及びダミーパターンが樹脂の流動に伴い積層方向に傾き、互いに接触（短絡）し、コイル４５の特性が得られなくなるおそれを防止できる。また、基材層４１〜４４のねじれにより、面内コイル導体又はダミーパターンがねじれることで、面内コイル導体とダミーパターンとが短絡（接触）又は破損するおそれを防止できる。なお、面内コイル導体４２Ａの角部（屈曲部）など、非直線状部分については、直線状部分に比べて傾きにくいため、直線状部分に応力分散部を設けることが効果的である。
【０１０６】
なお、応力分散部は、実施形態１に係る電磁石１に適用してもよい。
【０１０７】
（実施形態３）
図１２は、実施形態３に係る電磁石の正面断面図である。この例では、電磁石３は積層体７０を備えている。この積層体７０は、複数の絶縁性の基材層が積層一体化されている。基材層は、ＬＣＰ樹脂等の可撓性熱可塑性樹脂であり、積層体７０は、これら基材層が加熱プレスされることで形成されている。
【０１０８】
積層体７０は、Ｚ方向における同一端部側に、Ｚ方向における高さが異なる第１主面７０Ａと第２主面７０Ｂとを備えている。すなわち、積層体７０は段差を有している。第１主面７０Ａ側には、コイル６０が形成されている。コイル６０は、実施形態１，２と同様、積層体７０の各基材層の一方主面に面内コイル導体が形成されていて、これら面内コイル導体が層間接続導体により接続されて形成している。
【０１０９】
積層体７０の第２主面７０Ｂには、外部素子８０を実装するための端子８０Ａが設けられている。コイル６０は、一端が接続導体６０Ａを介して外部素子８０に接続されている。
【０１１０】
また、コイル６０の外側には、ダミーパターン６１Ａ，６１Ｂが形成されている。ダミーパターン６１Ｂは、積層体７０の段差部分であって、第２主面７０Ｂ側に形成されている。仮に、ダミーパターン６１Ｂが形成されていない場合、第１主面７０Ａと第２主面７０Ｂとの境部分は樹脂のみで形成される。このため、一体形成時に破損するおそれがある。そこで、内部にダミーパターン６１Ｂを設けることで、電磁石３の磁界強度を強めるだけでなく、段差部分の形状保持が可能となる。
【０１１１】
また、第１主面７０Ａが他の素子を実装する実装面となる場合であっても、段差部分の形状が保持されることで、第１主面７０Ａを平坦にでき、他の素子が実装できない、又は、他の素子が第１主面７０Ａから浮いた状態で実装されるといった不具合を防止できる。
【０１１２】
（実施形態４）
図１３は、実施形態４に係る電磁石４の斜視図である。図１４は、実施形態４に係る電磁石４の分解図である。
【０１１３】
電磁石４は積層体７１を備えている。この積層体７１は絶縁性の基材層７１Ａ，７１Ｂ，７１Ｃ，７１Ｄが積層一体化されている。基材層７１Ａ，７１Ｂ，７１Ｃ，７１Ｄは、ＬＣＰ樹脂（液晶ポリマ樹脂）等の可撓性を有する熱可塑性樹脂からなる。積層体７０は、これら基材層７１Ａ，７１Ｂ，７１Ｃ，７１Ｄが加熱プレスされることで互いに熱溶着され形成されている。なお、図１４では、４つの基材層のみ記載しているが、積層体７１の積層数はこれに限定されない。
【０１１４】
積層体７０には４つのコイル７２，７３，７４，７５が形成されている。コイル７２，７３，７４，７５は、基材層７１Ａの主面に設けられた面内コイル導体７２Ａ，７３Ａ，７４Ａ，７５Ａと、基材層７１Ｂの主面に設けられた面内コイル導体７２Ｂ，７３Ｂ，７４Ｂ，７５Ｂと、基材層７１Ｃの主面に設けられた面内コイル導体７２Ｃ，７３Ｃ，７４Ｃ，７５Ｃと、基材層７１Ｄの主面に設けられた面内コイル導体７２Ｄ，７３Ｄ，７４Ｄ，７５Ｄとが、不図示の層間接続導体により接続されて、形成されている。
【０１１５】
面内コイル導体７２Ａ，７３Ａ，７４Ａ，７５Ａは、基材層７１Ａのコイル形成領域Ａ１１，Ａ１２，Ａ１３，Ａ１４に形成されている。面内コイル導体７２Ｂ，７３Ｂ，７４Ｂ，７５Ｂは、基材層７１Ｂのコイル形成領域Ａ２１，Ａ２２，Ａ２３，Ａ２４に形成されている。面内コイル導体７２Ｃ，７３Ｃ，７４Ｃ，７５Ｃは、基材層７１Ｃのコイル形成領域Ａ３１，Ａ３２，Ａ３３，Ａ３４に形成されている。面内コイル導体７２Ｄ，７３Ｄ，７４Ｄ，７５Ｄは、基材層７１Ｄのコイル形成領域Ａ４１，Ａ４２，Ａ４３，Ａ４４に形成されている。
【０１１６】
基材層７１Ａ，７１Ｂ，７１Ｃ，７１Ｄそれぞれの主面には、コイル形成領域以外の領域にダミーパターン７６Ａ，７６Ｂ，７６Ｃ，７６Ｄが形成されている。ダミーパターン７１Ａ，７１Ｂ，７１Ｃ，７１Ｄは、不図示の層間接続導体により接続されている。これらダミーパターン７１Ａ，７１Ｂ，７１Ｃ，７１Ｄは、コイル７２〜７５を含む、他の素子とは電気的に独立している。そして、実施形態１で説明したように、ダミーパターン７１Ａ，７１Ｂ，７１Ｃ，７１Ｄは、コイル７２〜７５に流れる電流の変化時において、コイル７２〜７５から生じる磁界の磁界シールドとして機能することにより、該磁界の強度が強まる。
【０１１７】
積層体７１には、積層方向に貫通する開口７７Ａが形成されている。開口７７Ａは、平面視で、４つのコイル７２〜７５により囲まれるように、形成されている。この開口７７Ａには、後述するカメラレンズが挿入される。また、積層体７１には、開口７７Ａから外縁に延びた切欠き７７Ｂが形成されている。切欠き７７Ｂは、４つのコイル７２〜７５が形成されていない領域に形成されている。
【０１１８】
基材層７１Ａ，７１Ｂ，７１Ｃ，７１Ｄは熱可塑性樹脂である。このため、基材層７１Ａ，７１Ｂ，７１Ｃ，７１Ｄを積層して、加熱プレスして一体化した場合、積層体７１は、コイル７２〜７５及びダミーパターンと、基材層７１Ａ，７１Ｂ，７１Ｃ，７１Ｄとの間で熱膨張係数差に起因して内部応力が発生する。この内部応力によりプレス圧を解放した際、積層体７１に反りが発生する。そこで、積層体７１に切欠き７７Ｂを形成することで、切欠き７７Ｂにおいて内部応力を解放でき、積層体７１の反りを抑制することができる。
【０１１９】
なお、切欠き７７Ｂを形成する位置は、コイル７２〜７５が形成されていない領域であれば、適宜変更可能である。例えば、図１３及び図１４では、切欠き７７Ｂは、開口７７Ａと、積層体７１の長辺側外縁との間に形成されているが、開口７７Ａと積層体７１の短辺側外縁との間に形成されてもよい。この場合、切欠きの長さが長くなるため、加熱プレス時に発生する内部応力をより開放できる。
【０１２０】
また、電磁石４が有するコイルの数は４つに限らず、複数であればよい。また、コイル７２〜７５を形成する位置は、開口７７Ａを囲う位置であれば特に限定されない。
【０１２１】
この電磁石４の製造方法は、以下のとおりである。
【０１２２】
まず、熱可塑性樹脂の基材シートの一方の面に銅箔を貼り付ける、または片面銅貼シートを用意する。形成する面内コイル導体及びダミーパターンのパターンに応じて、銅箔上にレジスト膜のパターニングを行う。そして、エッチングを行って各パターンを形成し、レジスト膜を除去する。そして、基材シートの他方の面（銅箔を貼り付けていない面）から、層間接続導体を形成する各箇所にレーザ光を照射して孔を形成し、その孔にＳｕ,Ｃｕ,Ｎｉ,Ａｇ等を含む導電性ペーストを充填する。
【０１２３】
形成した基材シートを重ねる。このとき、各基材シートは、各パターンを形成した主面に重ねる。積み重ねた基材シートに対して、加熱及び加圧処理（加熱プレス）を行い、これらを接着する。基材シートは熱可塑性樹脂であるので、接着剤を使用しなくてもよく、また、硬化時における破損（割れ）を抑制できる。積層した基材シートを加熱プレスした後、開口７７Ａ及び切欠き７７Ｂを形成する。これにより、電磁石４が形成される。積層した基材シートの加熱プレス後に開口７７Ａ及び切欠き７７Ｂを設けことで、加熱プレス時の樹脂流れによる型崩れが抑制され、導体の短絡が起こりにくい。
【０１２４】
なお、開口７７Ａ及び切欠き７７Ｂの形成は、積層した基材シートを加熱プレスした後でなくてもよい。すなわち、基材シートそれぞれに開口及び切欠きを形成してから、それら基材シートを積層し、加熱プレスするようにしてもよい。
【０１２５】
この電磁石４は、実施形態１と同じように、コイル７２〜７５の直上に永久磁石を設けることで、所謂ボイスコイルモータに用いることができる。以下に、その手振れ補正用のボイスコイルモータを備えたカメラモジュールについて説明する。
【０１２６】
図１５は、本実施形態に係る電磁石４を備えたカメラモジュール２１０の平面視、及びＢ−Ｂ線の断面図である。このカメラモジュール２１０は、本発明に係る「カメラレンズ駆動装置」の一例である。
【０１２７】
カメラモジュール２１０は、電磁石４とフレーム２１１とを備えている。電磁石４は、フレーム２１１との間に隙間（例えば、５００μｍ以下）を設けて、フレーム２１１の下方に配置されている。そして、電磁石４とフレーム２１１とはワイヤ２１５で連結されている。フレーム２１１は、変位可能となっていて、ワイヤ２０５によってその変位が制限されている。
【０１２８】
図１３で説明したように、電磁石４は開口７７Ａを有している。フレーム２１１は、平板部分の中心に不図示の穴が形成されていて、この穴は電磁石４の開口７７Ａと重なっている。レンズホルダ２１２は、フレーム２１１の穴と、電磁石４の開口７７Ａとに挿入され、フレーム２１１の穴部分で固定されている。レンズホルダ２１２はカメラレンズ２１３を保持している。すなわち、カメラレンズ２１３は、電磁石４の開口７７Ａの内側の範囲内で、レンズホルダ２１２及びフレーム２１１と共に変位するようになっている。
【０１２９】
また、フレーム２１１の平板部分には、レンズホルダ２１２を四方から囲むように、永久磁石１００Ａ，１００Ｂ，１００Ｃ，１００Ｄが設けられている。これら永久磁石１００Ａ，１００Ｂ，１００Ｃ，１００Ｄは、電磁石４が有するコイル７２〜７５の直上に位置するよう設けられている。
【０１３０】
なお、カメラレンズ２１３等の変位については、図８と同様であるため、説明は省略する。
【０１３１】
このように、本実施形態では、アクチュエータとして機能するコイル７２〜７５が一体で形成されているため、コイル７２〜７５を個別に生成してカメラモジュール２１０に用いた場合と比べ、配置時の位置ズレを抑制できる。また、電磁石は、加熱プレス時に生じるそりを抑制できるため、電磁力の発生方向にズレが生じないようにできる。これにより、カメラモジュール２１０のカメラレンズ２１３を精度よく変位させることができ、精度の良い手振れ補正が可能となる。
【符号の説明】
【０１３２】
１，１Ａ，２，３，４…電磁石
１０…積層体
１１，１２，１３，１４…基材層
１１Ａ，１１Ｂ…端子電極
１２Ａ，１３Ａ，１４Ａ…面内コイル導体（巻線状導電パターン）
２０…コイル
２１，２２，２３…ダミーパターン
３１，３２，３３，３４…層間接続導体
４０…積層体
４１，４２，４３，４４…基材層
４１Ａ，４１Ｂ…端子電極
４２Ａ，４３Ａ，４４Ａ…面内コイル導体（巻線状導電パターン）
４５…コイル
５１Ａ，５１Ｂ，５２Ａ，５２Ｂ，５３Ａ，５３Ｂ…ダミーパターン
６０…コイル
６０Ａ…接続導体
６１Ａ，６１Ｂ…ダミーパターン
７０，７１…積層体
７０Ａ…第１主面
７０Ｂ…第２主面
７１Ａ，７１Ｂ，７１Ｃ，７１Ｄ…基材層
７２，７３，７４，７５…コイル
７６Ａ，７６Ｂ，７６Ｃ，７６Ｄ…ダミーパターン
８０…外部素子
８０Ａ…端子
１００，１００Ａ，１００Ｂ，１００Ｃ，１００Ｄ…永久磁石
１０１…フレキ基板
２００，２１０…カメラモジュール
２０１，２１１…フレーム
２０２，２１２…レンズホルダ
２０３，２１３…カメラレンズ
２０５，２１５…ワイヤ
【要約】
電磁石（１）は、複数の基材層（１１〜１４）が積層された積層体（１０）と、基材層（１２〜１４）の一方主面に形成された面内コイル導体（１２Ａ〜１４Ａ）により構成されたコイルと、平面視で、基材層（１２〜１４）の面内コイル導体（１２Ａ〜１４Ａ）の外側の位置において、少なくともコイルの一部に沿って形成され、電気的に独立したダミーパターン（２１〜２３）とを備える。これにより、コイルに流れる電流に起因する電磁力を強めることができる電磁石を提供する。【図１】
0005776867.tif 000002
【図２】
0005776867.tif 000003
【図３】
0005776867.tif 000004
【図４】
0005776867.tif 000005
【図５】
0005776867.tif 000006
【図６】
0005776867.tif 000007
【図７】
0005776867.tif 000008
【図８】
0005776867.tif 000009
【図９】
0005776867.tif 000010
【図１０】
0005776867.tif 000011
【図１１】
0005776867.tif 000012
【図１２】
0005776867.tif 000013
【図１３】
0005776867.tif 000014
【図１４】
0005776867.tif 000015
【図１５】
0005776867.tif 000016